(57)【特許請求の範囲】
【請求項１】
３本の異なる色の棒状体を一組とする手品具であって、各棒状体は、四つ側面を有し、その側面に全８種類の絵柄による組合せの異なる絵柄の表示を有し、前記絵柄は、各棒状体の側面における中央近傍に、異なる２個の絵柄が棒状体の中心を対称中心として長手方向を上下とする方向に表示されており、各棒状体の一方の端面と他方の端面は相違を有して使用者に識別可能に形成されていることを特徴とした手品具。
【請求項２】
請求項１において、前記各棒状体の端面は、全て同一色であることを特徴とした手品具。
【発明の詳細な説明】
【技術分野】
【０００１】
本発明は、複数本からなる棒状体を使用した手品具に関するものである。
【背景技術】
【０００２】
従来、本願出願人が出願した実開昭６３−１６１００号公報の「手品具」のように、８本の四角柱体からなる手品具であって、各四角柱体の側面である隣あう二面に「１」「２」「３」「４」の数字のいずれか２つが、付されているものがある。その組合せは、「１」と「３」、「３」と「１」、「２」と「４」、「４」と「２」が付された４本の四角柱体からなる第一グループと、「１」と「２」、「２」と「３」、「３」と「４」、「４」と「１」が付された４本の四角柱体からなる第二グループで構成されている。
【０００３】
この手品具を使用して手品を行う時は、第一グループと第二グループの四角柱体の数字の付されている一面を使用者側に向け、他の一面を床面側に、「１」「２」「３」「４」の数字が一つずつ表示されるように向けて並べる。使用者は、四角柱体の床面である面のみに数字が付されているかのように、注意して手品を行う。グループ毎に、観客に四角柱体の床面の数字を見せ、グループ毎に四角柱体の向きが変わらぬように良くまぜる。その後、予め使用者は、第二グループから、任意の四角柱体を手前へと抜き出しを行う。続いて、観客に、第一グループをから任意の四角柱体を選択してもらい、選択された四角柱体を手前へと抜き出しを行う。例えば、観客が、第一グループから選らんだ四角柱体は、「１」と「３」で、使用者が、選んだ第二グループの四角柱体は、「４」と「１」の場合、使用者は、それぞれ、「１」の面が上になるように四角柱体を把持して観客に見せ、恰も観客が任意に選ぶ四角柱体に付された数字を予め予言し、同一の四角柱体に付された数字を選んでいたかのように見せることができる。このような数当てのトリックを用いた手品具はあった。
【０００４】
従来の出願人が出願した手品具の様に、角柱体などの棒状体を利用し、観客の選んだものを当てるトリックによる手品具が求められていた。
【特許文献１】実開昭６３−１６１００号公報
【発明の開示】
【発明が解決しようとする課題】
【０００５】
そこで、本発明は、上記従来技術の問題点に斯かる実情に鑑みなされたもので、複数本の異なる色の棒状体を一組とした絵柄当てのマジックを行う手品具を提供することを課題とする。
【課題を解決するための手段】
【０００６】
請求項１記載の発明は、３本の異なる色の棒状体を一組とする手品具であって、各棒状体は、四つ側面を有し、その側面に全８種類の絵柄による組合せの異なる絵柄の表示を有し、前記絵柄は、各棒状体の側面における中央近傍に、異なる２個の絵柄が棒状体の中心を対称中心として長手方向を上下とする方向に表示されており、各棒状体の一方の端面と他方の端面は相違を有して使用者に識別可能に形成されていることを特徴とする。
【０００９】
請求項２記載の発明は、請求項１において、前記各棒状体の端面は、全て同一色であることを特徴とする。
【発明の効果】
【００１３】
請求項１記載の発明によれば、３本の異なる色の棒状体を一組とする手品具であって、各棒状体は、その四側面に組合せの異なる複数の絵柄の表示を有し、各棒状体の一方の端面と他方の端面は、僅かな相違を有し識別可能に形成されている手品具を用いることによって、この手品具を観客に各棒状体の上下方向の向きを変えてもらった後、使用者は、上下方向が変更された各棒状体の上方から見て、複数本の異なる色の棒状体と、各棒状体の一方の端面の僅かな相違を識別し、その組合せによって、各棒状体の側面に表示された絵柄を言い当てることができる。
そして、使用者が予め記憶する組合せの数を、２の３乗の組合せである８種類とすることができ、比較的容易に記憶できる数とすることができると共に、観客の選択する種類も多くなり当たった時の驚きを大きくすることができる。
【００１４】
また、僅かな相違を有し識別可能に形成された一方の端面と他方の端面を、使用者が、その僅かな相違を識別可能に形成されていればよく、例えば、僅かに艶の差を有するように形成したり、僅かに色相の異なる色で形成したり、僅かに色の明度が異なるように形成したり、僅かに形状を異なるように形成したりすることもできる。そして、一方の端面だけに、僅かなマークや傷を表示することによって、識別可能とすることもできる。
【００１５】
この手品具を使用した例では、３本の棒状体で、各棒状体の下端面より上端面の艶の差から、上端面の方が艶有りとし、棒状体の色が、「白」「黒」「灰」とした場合、予め使用者は、３本の棒状体の端面の「艶有り」の有無と、棒状体の色「白」「黒」「灰」の組合せに応じた絵柄を記憶しておく。この場合の組合せは８つ通りの組合せがあり、例えば、上下方向が変更された棒状体を上方から見た状態の「白」の棒状体の上方の端面は、艶有り「○」で、「黒」の棒状体の上方の端面は、艶有り「×」、「灰」の棒状体の上方の端面は、艶有り「○」の場合には、絵柄は「ハート」などと記憶し、他の７つの組合せも同様に記憶しておく。
【００１６】
従って、使用者は、手品具を使用時に、観客に、任意に３本の棒状体の上下方向の向きを変更してもらい、その後、上下方向が変更された各棒状体の上方から見て、予め記憶した複数本の異なる色の棒状体と、各棒状体の一方の端面の艶有りの有無の組合せによって、各棒状体の側面に表示された絵柄を言い当てることができる。
【００１７】
又、請求項１記載の発明によれば、前記絵柄は、各棒状体の側面における中央近傍に、異なる２個の絵柄が、棒状体の中心を対称中心として長手方向を上下とする方向に表示しており、棒状体の側面に表示された絵柄を、観客の手によって、隠し易くすることが可能となる。
【００１８】
また、観客に上下方向の向きを変更してもらう際に、各棒状体に表示された絵柄を選択してもらい、その絵柄が同じ方向になるように、棒状体の向きを変更して貰うようにすると、使用者は、観客が任意に選んだ絵柄を、言い当てることができるようになり、マジックの神秘性が高めることが可能である。
【００２０】
請求項２記載の発明によれば、請求項１に記載の前記棒状体の端面は、全て同一色とすることによって、観客に、棒状体の下端面の艶有りの有無や、その棒状体の端面の色の組合せに基づいて、絵柄を言い当てていることを、気が付き難くすることができる。
【発明を実施するための最良の形態】
【００２５】
３本の異なる色の四角柱体を一組とする手品具であって、前記四角柱体の側面である４つの面の各面には、２つずつ計８種類の異なる絵柄が、四角柱体の側面における中央近傍で棒状体の中心を対称中心とし長手方向を上下とする方向に表示され、前記各四角柱体の一方の端面と他方の端面は僅かな相違を有して、識別可能に形成されている。
【００２６】
また、前記各四角柱体は、赤色と青色と黄色に形成されることもあり、前記８種類の異なる絵柄は、前記各四角柱体の色を示す赤・青・黄の３つ色と、１つ四角柱体と他１つの四角柱体の色を各々混ぜ合わせた時に生じる紫・橙・緑の３つ色と、各四角柱体の色を３つ混ぜ合わせた時に生じる黒色と、色を混ぜ合わせない白色の計８つの色に関連した絵柄とすることもある。そして、前記四角柱体の端面である上端面及び下端面の色は、全て同一の黒色とすることもある。
【実施例１】
【００２７】
以下、図を参照して、本発明を適用した実施の形態について説明する。図１は、手品具の外観を示す図である。実施例の手品具は、四角柱形状に形成された棒状体１２の３本で構成し、棒状体１２の側面には、組合せの異なる複数の絵柄１４が表示され、棒状体１２の両端面は、僅かに艶の差を有し、一方の端面より、他方の端面は、僅かに艶有りとしている。
【００２８】
この手品具１０を使用した手品の概要は、観客に３本の棒状体１２の側面に表示された絵柄１４を正方向に揃えるように、３本の棒状体１２の上下方向の向きを変えてもらい、その後、使用者は、上下方向が変更された各棒状体１２の上方から見て、各棒状体１２の端面の艶の差から艶有りの有無を視認し、各棒状体１２の各色と、上方から見た棒状体１２の端面の艶有りの有無の組合せによって、正方向に揃えた絵柄１４を当てることができる手品具１０である。
【００２９】
棒状体１２の構造を詳細に説明する。各棒状体１２は、それぞれ異なる色に着色されており、実施例では３本各々「赤」「青」「黄」の３色で色分けし形成されている。各棒状体１２の端面である両端面は、黒色の同一色で着色され、一方の端面は、黒色であって僅かに艶有りとされ、他方の端面は、黒色であって僅かに艶無しとされ、僅かに相違を有し、両端面を識別可能としている。
【００３０】
この３本の棒状体１２の側面には、それぞれ８種類の絵柄を表示するものであって、棒状体１２の側面である４つの面の各面には、２つずつ絵柄を表示している。実施例の絵柄１４は、「鳩」「卵」「目」「木」「ハート」「炎」「グラス」「月と星」を表す絵柄１４となっている。
【００３１】
また、棒状体１２の各側面に表示する２つ絵柄１４は、棒状体１２の側面の中央近傍の上側と下側に、棒状体１２の中央を対称中心として、それぞれ表示されている。例えば、上側（艶有り側）に表示された絵柄１４は、正方向に絵柄１４が表示され、下側（艶無し側）に表示された絵柄１４は、逆方向に絵柄１４が表示されている。したがって、棒状体１２の上下を逆にすると、逆方向に描かれた絵柄１４が正方向に描かれた絵柄１４となる。
【００３２】
図２（Ａ）は、各棒状体１２の側面に表示される絵柄の表示位置を示した図である。８種類の絵柄１４は、各棒状体１２の各面のそれぞれの艶有り側（絵柄：正方向）・艶無し側（絵柄：逆方向）のいずれかに表示されている。
【００３３】
８種類の絵柄１４のうちの「鳩」の絵柄１４は、３本の棒状体１２の艶無し側（絵柄：逆方向）に向けて表示されている。また、８種類の絵柄１４のうちの「木」「炎」「グラス」の絵柄１４は、２つの棒状体１２の艶有り側（絵柄：正方向）に向けて表示されると共に、１つの棒状体１２の艶無し（逆方向）に向けて表示されている。詳細には、「木」の絵柄１４は、「青」の棒状体１２と「黄」の棒状体１２においては、艶有り側（正方向）に向けて表示され、「赤」の棒状体１２では、艶無し側（逆方向）に向けて表示されている。次に、「炎」の絵柄１４は、「赤」の棒状体１２と「黄」の棒状体１２には、艶有り側（正方向）に向けて表示され、「青」の棒状体１２には、艶無し側（逆方向）に向けて表示されている。「グラス」の絵柄１４は、「赤」の棒状体１２と「青」の棒状体１２においては、艶有り側（正方向）に向けて表示され、「黄」の棒状体１２には、艶無し側（逆方向）に向けて表示されている。
【００３４】
また、８種類の絵柄１４のうちの「ハート」「卵」「目」の絵柄１４は、１つの棒状体１２の艶有り側（正方向）に向けて表示されると共に、２つの棒状体１２の艶無し側（逆方向）に向けて表示されている。詳細には、「ハート」の絵柄１４は、「赤」の棒状体１２には、艶有り側（正方向）に向けて表示され、「青」の棒状体１２と「黄」の棒状体１２には、艶無し側（逆方向）に向けて表示されている。また、「卵」の絵柄１４は、「黄」の棒状体１２には、艶有り側（正方向）に向けて表示され、「赤」の棒状体１２と「青」の棒状体１２には、艶無し側（逆方向）に向けて表示されている。「目」の絵柄１４は、「青」の棒状体１２には、艶有り側（正方向）に向けて表示され、「赤」の棒状体１２と「黄」の棒状体１２には、艶無し側（逆方向）に向けて表示されている。さらに、８種類の絵柄１４のうちの１つとなる「月と星」の絵柄１４は、３本の棒状体１２の艶有り側（絵柄：正方向）に向けて表示されている。
【００３５】
図２（Ｂ）は、各棒状体１２の艶有り側（正方向）に表示される絵柄１４と、艶無し側（逆方向）に表示される絵柄１４を示した図である。「赤」の棒状体１２の艶有り側（正方向）に表示される絵柄１４は、「ハート」「炎」「グラス」「月と星」の４種類となっており、艶無し側（逆方向）に表示される絵柄１４は、「鳩」「卵」「目」「木」の４種類となっている。次に、「青」の棒状体１２の艶有り側（正方向）に表示される絵柄１４は、「目」「木」「グラス」「月と星」の４種類となっており、艶無し側（逆方向）に表示される絵柄１４は、「鳩」「卵」「ハート」「炎」の４種類となっている。そして、「黄」の棒状体１２の艶有り側（正方向）に表示される絵柄１４は、「卵」「木」「炎」「月と星」の４種類となっており、艶無し側（逆方向）に表示される絵柄１４は、「鳩」「目」「ハート」「グラス」の４種類となっている。
【００３６】
図２（Ｃ）は、実施例の各棒状体１２の各面に表示される艶有り側（正方向）の絵柄１４と、艶無し側（逆方向）の絵柄１４の組合せを示した図である。「赤」の棒状体１２の一面には、艶有り側（正方向）に「ハート」と艶無し側（逆方向）「鳩」の絵柄１４が表示されている。また、他の一面には、艶有り側（正方向）に「炎」と艶無し側（逆方向）「目」の絵柄１４が表示されている。そして、他の一面には、艶有り側（正方向）に「グラス」と艶無し側（逆方向）「卵」の絵柄１４が表示されている。さらに、他の一面には、艶有り側（正方向）に「月と星」と艶無し側（逆方向）「木」の絵柄１４が表示されている。
【００３７】
次に、「青」の棒状体１２の一面には、艶有り側（正方向）に「目」と艶無し側（逆方向）「卵」の絵柄１４が表示されている。また、他の一面には、艶有り側（正方向）に「木」と艶無し側（逆方向）「炎」の絵柄１４が表示されている。そして、他の一面には、艶有り側（正方向）に「グラス」と艶無し側（逆方向）「ハート」の絵柄１４が表示されている。さらに、他の一面には、艶有り側（正方向）に「月と星」と艶無し側（逆方向）「鳩」の絵柄１４が表示されている。
【００３８】
次に、「黄」の棒状体１２の一面には、艶有り側（正方向）に「卵」と艶無し側（逆方向）「ハート」の絵柄１４が表示されている。また、他の一面には、艶有り側（正方向）に「木」と艶無し側（逆方向）「目」の絵柄１４が表示されている。そして、他の一面には、艶有り側（正方向）に「炎」と艶無し側（逆方向）「鳩」の絵柄１４が表示されている。さらに、他の一面には、艶有り側（正方向）に「月と星」と艶無し側（逆方向）「グラス」の絵柄１４が表示されている。
【００３９】
このように、各棒状体１２の各面に表示される艶有り側（正方向）の絵柄１４と、艶無し側（逆方向）の絵柄１４を組合せることによって、例えば、「月と星」の揃えた場合に、艶無し側（逆方向）に表示される３つ絵柄１４が全て「鳩」になることを防止している。
【００４０】
また実施例の棒状体１２は、一辺の長さ８ｍｍの正四角形の断面とする長さ１３ｃｍの棒状体１２である。一辺の長さを８ｍｍの正四角形とすることによって、３本の棒状体１２を握った場合において、手から溢れることが無いようになっている。また長さを１３ｃｍとすることによって、一般的な大人の男性の手の大きさであっても、棒状体１２の全体を握って隠すことができない長さとなっている。また、実施例の棒状体１２は、正四角柱体となっているが、円柱体や、六角柱体、八角柱体などであっても実施可能である。
【００４１】
次に、８種類の絵柄１４と棒状体１２の色の関係について説明する。仮に、３本の棒状体１２で、各棒状体１２の下端面と上端面の艶に差を設ける際、上端面の方が艶有りとし、棒状体１２の色が、「白」「黒」「灰」とした場合、予め使用者は、３本の棒状体１２の端面の「艶有り」の有無と、棒状体１２の色「白」「黒」「灰」の組合せに応じた絵柄を記憶しておかなければならない。この場合の組合せは８つ通りの組合せがあり、例えば、上下方向が変更された棒状体１２を上方から見た状態の「白」の棒状体１２の上方の端面は、艶有り「○」で、「黒」の棒状体１２の上方の端面は、艶有り「×」、「灰」の棒状体１２の上方の端面は、艶有り「○」の場合には、絵柄は「ハート」などと記憶し、他の７つの組合せも同様に記憶しておく必要性がある。
【００４２】
このように３つの色「白」「黒」「灰」の組合せは、８通りとなり、この８通りの組合せを記憶することは容易なことではない。しかし、実施例の如く、棒状体１２の色を「赤」「青」「黄」からなる光の三原色を使用することによって、使用者が、その組合せを記憶し易くすることができる。例えば、赤色と青色を混ぜると、紫色となり、赤色と黄色を混ぜると、橙色となる。また、黄色と青色を混ぜると緑色となる。また、３つの色を混ぜると黒色となり、３つの色を混ぜない場合には白色となる。このように、３つの色の組合せを「赤＋青」や「赤＋青＋黄」と覚えるのではなく、赤色・青色・黄色と、各色を混ぜた紫色・橙色・緑色・黒色・白色の計８色（８通り）として記憶することによって、使用者に色の組合せを、比較的容易に記憶させることができるようになる。
【００４３】
また８種類の絵柄１４を上述した８色に関連する絵柄１４とすることによって、赤色と青色と黄色からなる８つの組合せから、比較的容易に色の組合せに応じた絵柄１４を記憶することができるようになる。例えば、「赤」に関連した絵柄１４を「ハート」や「バラ」などとし、「黄」に関連した絵柄１４を「卵」や、「ひまわり」などの絵柄１４などとすることによって、使用者は、色の組合せから、比較的容易に絵柄１４を記憶することができる。
【００４４】
この手品具１０の使用例の説明を行う。事前の準備として棒状体１２の色と、棒状体１２の両端面の艶有りの関係を記憶しておく。つまり、棒状体１２の上下方向の向きを任意に変えた状態で、各棒状体１２の上方から見て、各棒状体の端面の艶有りの有無を視認し、「赤」の棒状体１２の端面のみが艶有りならば、「ハート」、「黄」の棒状体１２の端面のみが艶有りならば、「卵」、「青」の棒状体１２の端面のみが艶有りならば、「目」、「赤＋黄」の棒状体１２の端面が艶有りならば、「炎」、「赤＋青」の棒状体１２の端面が艶有りならば、「グラス」、「青＋黄」の棒状体１２の端面が艶有りならば、「木」、「赤＋青＋黄」の棒状体１２の端面が艶有りならば、「月と星」、艶有りが無ければ「鳩」と記憶する。
【００４５】
手品を行う場合には、手品具１０である３本の棒状体１２を観客にみせて、図３に示すように実際に３つの絵柄１４を並べて見せる。その後、「これから後を向きますので、その間に、どれでも好きな絵を選んで上に並べてください。そして並べたら言ってください。」と言う。使用者は、後ろを向き、観客が並べたと言ったら「その３つの絵を３秒見つめてください」と言い、３秒数える。
【００４６】
その後、「こんな風にスティックを混ぜて下さい」と言って、図４に示すように両手で棒状体１２を混ぜる動作をする。「混ぜたら中央を持って絵を隠してください。」と言う。観客が、図５に示すように隠したことを言葉で確認したら、使用者は、振り返り、棒状体１２を上から見て艶の有る面がどの色の棒状体１２にあるか確認する。その時に、光線の加減などで、艶有り面を確認し難い場合は、図６に示すように近寄っておまじないをするように棒状体１２に手をかざしながら、見るようにようにする。
【００４７】
事前に記憶した８種類の絵柄１４から、該当する絵柄１４を判別した後、観客が選んだ絵を言い当てるようにする。この時に、様々なセリフを使うと効果的である。一例として、「ハート」が選ばれた時には、「いい絵を選びましたね。恋愛運が上昇しています。あなたの選んだのはハートですね。」や、「卵」が選ばれた時には、「いい絵を選びましたね。なにか新しい事が生まれそうな感じがします。卵を選びましたね。」や、「目」が選ばれた時には、「最近お疲れではないですか？パソコンなど目を使われる事が多いのでは？目を選びましたね。」や、「炎」が選ばれた時には、「運気が上昇しているのが見えます。上昇気流を感じます。炎を選びましたね。」や、「グラス」が選ばれた時には、「もしかして、今日誰かと飲みに行く予定がありますか？あればとても良い事がおきるかも。グラスを選びましたね。」や、「木」が選ばれた時には、「山が見えます。森林浴がしてみたくないですか？木を選びましたね。」や、「鳩」が選ばれた時には、「とてもいい絵を選びましたね。運勢がいい人が選ぶ絵です。空を羽ばたく鳩です。」や、「月と星」が選ばれた時には「今晩誰かと会う予定はありますか？とても良いことがあるかもしれません。選んだのは、月と星の絵ですね。」とセリフを言うことによって、神秘性が強めることができる。
【００４８】
以上説明したように構成することにより、複数本の異なる色の棒状体を一組とした絵柄当てのマジックを行う手品具を提供することができる。また、好ましい実施例を挙げて本発明を説明したが、本発明はその実施例に限定されるものではなく、本発明の要旨の範囲内で種々に改変できる。
【００４９】
例えば、実施例では、３本の棒状体１２としたが、３本に限ることなく、少なくとも２本以上であれば、実施可能であり、棒状体１２の色も、赤・青・黄に限定されることはなく、様々な色を用いることが可能である。更に、絵柄１４も上述の例に限定されるものでなく、種々のマークや数字などを描くことができる。
【００５０】
また、僅かな相違を有し識別可能に形成された一方の端面と他方の端面は、使用者が、その僅かな相違を識別可能に形成されていればよく、例えば、僅かに色相の異なる色で着色したり、僅かに色の明度が異なるように着色したり、僅かに形状を異なるように四角柱体の一方の端面の、周囲の任意の一辺か、対向する二辺か、周囲の全ての辺を面取加工することよって識別可能とすることもできる。そして、両側の端面に模様を施すと共に、一方の端面だけに、僅かなマークや傷を表示することによっても、使用者のみが識別することを可能とすることもできる。
【図面の簡単な説明】
【００５１】
【図１】本発明に係る手品具の外観を示す図である。
【図２】本発明に係る手品具の四角柱体の側面の色と、端面の色と、絵柄との関係を示す図である。
【図３】本発明に係る手品具の使用例を示す図である。
【図４】本発明に係る手品具の使用例を示す図である。
【図５】本発明に係る手品具の使用例を示す図である。
【図６】本発明に係る手品具の使用例を示す図である。
【符号の説明】
【００５２】
１０    手品具
１２    棒状体
１４    絵柄
【図１】
0004751141.tif 000002
【図２】
0004751141.tif 000003
【図３】
0004751141.tif 000004
【図４】
0004751141.tif 000005
【図５】
0004751141.tif 000006
【図６】
0004751141.tif 000007